(57)【要約】【課題】  回路遮断器の速結端子に接続された電線を無理矢理引き抜く場合であっても回路遮断器が不用意に外れ難くなる分電盤を提供する。【解決手段】  導電バー３，４，５の幅方向両側で先端が外方に突出して上下方向に回動自在な一対の弾性突出片１５，１６及びこの一対の弾性突出片とは反対側に突出して押圧操作により各弾性突出片を上方向に回動させる一対の操作片１７，１８を有し、これら一対の弾性突出片及び操作片を導電バーの長手方向に沿って複数個形成して最上段の導電バー３の上面に配設された係止部材６に、導電バーの幅方向両側で一対の弾性突出片の先端間に係止される保護カバー３０を取着した。【選択図】図１
2005124307.tif 000002
【特許請求の範囲】
【請求項１】
上下方向に並設した複数の導電バーと、この導電バーの幅方向両側で先端が外方に突出して上下方向に回動自在な一対の弾性突出片及びこの一対の弾性突出片とは反対側に突出して押圧操作により各弾性突出片を上方向に回動させる一対の操作片を有し、これら一対の弾性突出片及び操作片を前記導電バーの長手方向に沿って複数個形成して最上段の導電バーの上面に配設された係止部材と、一方側に前記弾性突出片に係止される被係止部を形成するとともに導電バーが短手方向から差込接続される受刃を配設し、他方側に被引掛部を形成するとともに電線を鎖錠ばねのばね力で接続する速結端子を配設して導電バーの幅方向両側で導電バーの長手方向に沿って並設される複数の回路遮断器と、これらの回路遮断器の被引掛部を引掛ける引掛部を有して回路遮断器を取着するべースと、を備えた分電盤において、
前記係止部材に、該係止部材の表面を覆うものであって、前記導電バーの幅方向両側で前記一対の弾性突出片の先端間に係止される保護カバーを取着したことを特徴とする分電盤。
【請求項２】
前記保護カバーに、各回路遮断器毎に区切る分割線を形成したことを特徴とする請求項１記載の分電盤。
【発明の詳細な説明】
【技術分野】
【０００１】
本発明は、導電バーに差込接続される回路遮断器を有するとともに、この回路遮断器の差込先端側を係止する係止部材を有した分電盤に関する。
【背景技術】
【０００２】
この種の従来例として、特開２００1−１３６６１１号公報に示されるものが存在する。このものは、上下方向に並設された導電バーに回路遮断器の受刃を差込接続する際、回路遮断器の一方側に形成された突起状の被係止部が最上段の導電バーに取着された係止部材の先端（弾性突出片）を乗り越えて係止されることにより導電バーから抜ける方向に移動するのを防止するとともに、回路遮断器の他方側に形成された溝状の被引掛部をベースに形成された楔状の引掛部に引掛けて回路遮断器がベースから外れる方向に移動するのを防止している。ここで、この回路遮断器の他方側には、電線を鎖錠ばねのばね力で接続する速結端子を設けているのであるが、この速結端子に接続された電線を無理矢理引き抜く恐れがあり、この場合、係止部材の先端（弾性突出片）に係止された被係止部が外れてしまって回路遮断器が不用意に外れてしまうという問題があった。
【特許文献１】特開２００１−１３６６１１号公報
【発明の開示】
【発明が解決しようとする課題】
【０００３】
本願発明は、上記背景技術に鑑みて発明されたものであり、その課題は、回路遮断器の速結端子に接続された電線を無理矢理引き抜く場合であっても回路遮断器が不用意に外れ難くなる分電盤を提供することである。
【課題を解決するための手段】
【０００４】
この発明の分電盤は、上下方向に並設した複数の導電バーと、この導電バーの幅方向両側で先端が外方に突出して上下方向に回動自在な一対の弾性突出片及びこの一対の弾性突出片とは反対側に突出して押圧操作により各弾性突出片を上方向に回動させる一対の操作片を有し、これら一対の弾性突出片及び操作片を前記導電バーの長手方向に沿って複数個形成して最上段の導電バーの上面に配設された係止部材と、一方側に前記弾性突出片に係止される被係止部を形成するとともに導電バーが短手方向から差込接続される受刃を配設し、他方側に被引掛部を形成するとともに電線を鎖錠ばねのばね力で接続する速結端子を配設して導電バーの幅方向両側で導電バーの長手方向に沿って並設される複数の回路遮断器と、これらの回路遮断器の被引掛部を引掛ける引掛部を有して回路遮断器を取着するべースと、を備えた分電盤において、前記係止部材に、、該係止部材の表面を覆うものであって、前記導電バーの幅方向両側で前記一対の弾性突出片の先端間に係止される保護カバーを取着したことを特徴とするものである。
【０００５】
上記において、保護カバーに、各回路遮断器毎に区切る分割線を形成している。
【発明の効果】
【０００６】
この発明の分電盤によれば、回路遮断器の速結端子に接続された電線を無理矢理引き抜こうとすると、回路遮断器の被係止部によって係止部材の弾性突出片に力が加わって弾性突出片が上方向に移動しようとするが、係止部材を覆う保護カバーの内面に弾性突出片の上面が当接して弾性突出片がそれ以上変形し難くなり、回路遮断器が不用意に外れ難くなる。
【０００７】
また、保護カバーに、各回路遮断器毎に区切る分割線を形成し、該分割線によって区切られた区間内に各回路遮断器の回路名を記入すると、どの回路遮断器がどの回路に対応するのか容易に判別できる。
【発明を実施するための最良の形態】
【０００８】
この発明の一実施の形態を図１乃至図４に基づいて説明する。すなわち、この分電盤は、箱状のボディ１とこのボディ１の開口口縁に取着されるカバー２とで構成されている。ボディ１には、ボディ１の底部から開口側となる上下方向に並設された３本の導電バー３，４，５と、最上段の導電バー３に取着される係止部材６と、この係止部材６に一方側が係止される複数の回路遮断器７，７，７，・・・と、これらの回路遮断器７，７，７，・・・の他方側を引掛けて回路遮断器７，７，７，・・・を取着するベース８とを有する。
【０００９】
最上段の導電バー３は、単相三線式配線路における中性極であって、長手方向両端部を下段とするとともに中央部９を上段としており、上段の中央部９を各回路遮断器７，７，７，・・・に差込接続している。残りの２本の導電バー４，５は単相三線式配線路における電圧極であって、同一形状に形成されており、対称配置されるようになっているもので、配置されたときに内側となる側縁より回路遮断器７，７，７，・・・の配列個数に対応するように一定間隔で基部１０を折り曲げにより立ち上がらせ、この基部１０の上端の片側からはさらに外側方向に向けて脚片１１（１２）を水平延長形成し、またこの脚片１１（１２）に隣接する当該基部１０の上端には水平片が内側方向に向くように逆Ｌ字状に折り曲げた延長片を形成してある。そして、この延長片の水平片たる脚片１３（１４）と上記脚片１１（１２）とが夫々回路遮断器７，７，７，・・・の一方側に設けた電圧極用の受刃に差込接続される回路遮断器接続部を構成する。ここで、これらの導電バー３，４，５は、上述した導電バー３の中央部９と、導電バー４（５）の脚片１１（１２）と、導電バー５（４）の脚片１４（１３）とがボディ１の底部から開口側となる上下方向に並設されるのである。
【００１０】
係止部材６は、合成樹脂成型品からなり、最上段の導電バー３に取着されるものであって、導電バー３の幅方向両側で先端が外方に突出して上下方向に回動自在な一対の弾性突出片１５，１６及びこの一対の弾性突出片１５，１６とは反対側に突出して押圧操作により各弾性突出片１５，１６を上方向に回動させる一対の操作片１７，１８を有し、これら一対の弾性突出片１５，１６及び操作片１７，１８を導電バー３の長手方向に沿って両側の回路遮断器７，７，７，・・・に対応させて複数個形成している。弾性突出片１５，１６は、基端を揺動自在に支持して先端の両側に設けた係止部１９，１９を回路遮断器７，７，７，・・・の上面に並設された２つの突起状の被係止部２０，２０に係止させる。操作片１７，１８は、弾性突出片１５，１６の基端に基端が連設されており、先端をドライバ等の工具で下方に押すと弾性突出片１５，１６の基端を回動支点として弾性突出片１５，１６の先端側が上方に移動するので、この状態で回路遮断器７，７，７，・・・を引外し方向に直線移動させれば回路遮断器７，７，７，・・・をベース８から外すことができる。
【００１１】
回路遮断器７，７，７，・・・は、内部に２極の開閉機構部を内臓するもので、器体の一方側に弾性突出片１５，１６に係止される被係止部２０，２０が形成されるとともに、上、中、下の三段に導電バー３，４，５が挿入される導電バー差込口２１，２２，２３が開口されている。被係止部２０，２０は、器体の上面に並設された２つの突起状であって、器体の一方側端面から他方側方向にかけて徐々に突出する形で形成されており、弾性突出片１５，１６の係止部１９，１９に引掛けやすく、かつ、抜け難くしている。上段の導電バー差込口２１の高さ位置はベース８に配設したときに丁度最上段の導電バー３（の中央部９）の高さ位置に対応し、また中段の導電バー差込口２２は導電バー４（５）の脚片１３（１４）の高さ位置に対応し、更に下段の導電バー差込口２３は導電バー４（５）の脚片１１（１２）の高さ位置に対応している。
【００１２】
そして、本形態では上段の導電バー差込口２１内に、中性極の導電バー３の中央部９を差込接続する受刃２４を配置し、下段の導電バー差込口２３内に、電圧極の導電バー４（５）の脚片１１（１２）を差込接続する受刃２５を配置しており、中段の導電バー差込口２２は受刃が配設されない収納部としている。つまり、この状態では中性極の導電バー３と一方の電圧極の導電バー４（５）とが接続されて１００Ｖ用となっている。ここで、導電バー３，４，５を挟む一対の回路遮断器７，７のうちの一方は、下段の導電バー差込口２３内に配設される受刃２５に電圧極の導電バー４の脚片１１が接続され、導電バー３，４，５を挟む一対の回路遮断器７，７のうちの他方は、下段の導電バー差込口２３内に配設される受刃２５に電圧極の導電バー５の脚片１２が接続されることとなる。つまり、導電バー３，４，５を挟む一対の回路遮断器７，７の一方を導電バー４に、他方を導電バー５に自然に接続することとなるので、一対の回路遮断器７，７の数を合わせることで、負荷バランスを合わせることができるようになっている。なお、中性極の導電バー３の中央部に接続される受刃２４を中段の導電バー差込口２２内に移動させることにより２つの電圧極の導電バー４，５が接続されて２００Ｖ用になるのである。
【００１３】
また、この回路遮断器７，７，７，・・・の他方側には、ベース８に形成された引掛部２６に引掛けられる被引掛部２７が形成されるとともに電線を鎖錠ばねのばね力で接続する速決端子（図示せず）への電線挿通孔２８が形成されている。被引掛部２７は、器体の底面から一側面に連通する溝であって、ベース８に形成された楔状の引掛部２６に引掛けられて回路遮断器７，７，７，・・・がベース８から上方向に移動するのを防止するものである。電線挿通孔２８は、１つの回路遮断器７毎に横並びに２つづつ形成され、負荷に接続される電線を２つづつ差し込んで内臓された速結端子に接続することができるようになっている。
【００１４】
ベース８は、合成樹脂で形成され、各導電バー３，４，５を載置するとともに各回路遮断器７，７，７，・・・を取着するものであり、各回路遮断器７，７，７，・・・に応じて横並びに楔状の引掛部２６，２６，２６，・・・が形成されており、各回路遮断器７，７，７，・・・を導電バー３，４，５に向かって直線的に移動させた際、回路遮断器７，７，７，・・・の被引掛部２７，２７，２７，・・・を引掛ける。このベース８は、鉄板にて形成されたフレーム２９に取着され、このフレーム２９がボディ１に取着されるのである。
【００１５】
ここで、回路遮断器７，７，７，・・・の電線挿通孔２８，２８から挿通された電線が内部の速結端子に接続されるのであるが、この速結端子に接続された電線を無理矢理引き抜く場合、回路遮断器７，７，７，・・・の被係止部２０，２０が弾性突出片１５，１６の係止部１９，１９から外れてしまって回路遮断器７，７，７，・・・が不用意に外れてしまう恐れがあるので、本発明では、係止部材６に、該係止部材６の表面を覆うものであって、導電バー３，４，５（特に上段の導電バー３）の幅方向両側で一対の弾性突出片１５，１６の先端間に係止される保護カバー３０を取着している。
【００１６】
保護カバー３０は、プラスチックにて略平板状に形成され、その短手方向両側に弾性突出片１５，１６の先端間に係止される折曲片３１，３１を有している。この折曲片３１，３１間は弾性突出片１５，１６の先端間と略同じ間隔で形成されており、一方側の折曲片３１を弾性突出片１５，１６の一方先端に係止させた後、保護カバー３０を弾性突出片１５，１６の他方側に押し付けて保護カバー３０の弾性変形を伴い、他方側の折曲片３１を弾性突出片１５，１６の他方先端に係止させる。従って、保護カバー３０を係止部材６に取着してしまえば、回路遮断器７，７，７，・・・の被係止部２０によって係止部材６の弾性突出片１５，１６に力が加わって弾性突出片１５，１６が上方向に移動しようとするが、係止部材６を覆う保護カバー３０の内面に弾性突出片１５，１６の上面が当接して弾性突出片１５，１６がそれ以上変形し難くなり、回路遮断器７，７，７，・・・が不用意に外れ難くなるのである。
【００１７】
また、保護カバー３０の上面には、各回路遮断器７，７，７，・・・に区切る分割線３２が形成されている。この分割線３２は、各回路遮断器７，７，７，・・・の幅寸法と略同じ寸法毎に分割線３２が形成されており、この分割線３２で区切られた区間内に各回路遮断器７，７，７，・・・に接続される負荷名称（例えば台所、浴室とか）を記入すれば、各回路遮断器７，７，７，・・・がどこの負荷に使用されるものなのか容易に判別できるようになる。
なお、ボディ１の開口を塞ぐカバー２に孔３３を形成し、この孔３３から保護カバー３０を露出させれば、カバー２を閉じた状態でも各回路遮断器７，７，７，・・・がどの負荷に対応するものか分かる。また、カバー２を外しても保護カバー３０は係止部材６に取着されたままであるので、カバー２を外した状態で配線工事を行う際、各回路遮断器７，７，７，・・・に接続される負荷が容易に分かる。
【００１８】
なお、本実施形態によれば、保護カバー３０の上面に直接分割線３２を形成しているが、保護カバー３０の上面に分割線３２付のシールを貼っても良く、この場合、シールを張り替えることで各回路遮断器７，７，７，・・・に接続される負荷が変わっても容易に対応することができるようになる。
【図面の簡単な説明】
【００１９】
【図１】本願発明の実施形態である分電盤を示す正面図である。
【図２】図１のものにカバーを取着した状態を示す正面図である。
【図３】図１のものの要部の分解斜視図である。
【図４】図１のものの要部の側面断面図である。
【符号の説明】
【００２０】
３  導電バー
４  導電バー
５  導電バー
６  係止部材
７  回路遮断器
８  ベース
１５  弾性突出片
１６  弾性突出片
１７  操作片
１８  操作片
１９  係止部
２０  被係止部
２４  受刃
２５  受刃
２６  引掛部
２７  被引掛部
２８  電線挿通孔
３０  保護カバー
３２  分割線
【図１】
2005124307.tif 000003
【図２】
2005124307.tif 000004
【図３】
2005124307.tif 000005
【図４】
2005124307.tif 000006